(57)【要約】【課題】収納容器を有する流し台のふたを提供する。【解決手段】流し台２０の上方に跨設されると共に流し台２０の入口２１を遮蔽する蓋板１１、及び蓋板１１の底部に装設されると共に蓋板１１により流し台２０の中に隠されている収納容器１２を備える。蓋板１１は流し台２０の入口２１を遮蔽して流し台２０の面として使用可能である。使用者が蓋板１１を開けると、使用者は蓋板１１の底部に位置する収納容器１２に清掃用品、洗剤、果皮等の物品を出し入れ可能である。【選択図】図１
0003193014.tif 000002
【実用新案登録請求の範囲】
【請求項１】
流し台の上方に跨設されていると共に前記流し台の入口を遮蔽する蓋板と、
前記蓋板の底部に装設されており、前記蓋板により前記流し台の中に隠されている収納容器と、を備えることを特徴とする流し台のふた。
【請求項２】
前記蓋板は、流し台に跨設されている場合、前記流し台の上縁と一平面となり、前記流し台の上で平坦な面を形成することを特徴とする請求項１に記載の流し台のふた。
【請求項３】
前記蓋板に引手が設置されていることを特徴とする請求項１に記載の流し台のふた。
【請求項４】
前記蓋板に取っ手が設置されていることを特徴とする請求項１に記載の流し台のふた。
【請求項５】
前記収納容器は引き出しであることを特徴とする請求項１に記載の流し台のふた。
【請求項６】
前記収納容器は蓋を有する収納箱であることを特徴とする請求項１に記載の流し台のふた。
【請求項７】
連接棒部材により前記流し台に連接されていることを特徴とする請求項１に記載の流し台のふた。
【請求項８】
一端の縁部がヒンジ部材により前記流し台に連接されていることを特徴とする請求項１に記載の流し台のふた。
【請求項９】
前記収納容器は、互いに対向する両側が軸により前記蓋板の底部に回転可能に設けられていることを特徴とする請求項１に記載の流し台のふた。
【考案の詳細な説明】
【技術分野】
【０００１】
本考案は、流し台のふたに関し、詳しくは、底部に収納容器を有する流し台のふたに関する。
【背景技術】
【０００２】
調味料、清掃用品、或いは他の物品を収納するため、キッチンや浴室の壁には往々にして収納箱が装設され、使用者は上述の物品を収納するが、これら収納箱は室内の美観を損ねていた。
【０００３】
前述した従来の技術では、浴室やキッチンには流し台設備が設置され、一般的な流し台の上方は常に開放される開口となっており、大きく開いた開口は平時には使用者にとっては他の利用法がなかった。例えばキッチンの調理台に位置する流し台は、通常調理台の中で極めて大きな面積を占めていた。調理台の残りの平坦な面は使用者に使用されることがなく、特に小さめの調理台設備に於いては顕著であった。
【０００４】
上述のキッチンや浴室の収納空間の設計及び流し台の常に開いた開口は使用者が使用する上での課題であり、現在、解決の目処はたっていない。
そこで、本考案者は上記の欠点が改善可能と考え、鋭意検討を重ねた結果、合理的設計で上記の課題を効果的に改善する本考案が示す流し台のふたの提案に到った。
【考案の概要】
【考案が解決しようとする課題】
【０００５】
本考案は、このような従来の問題に鑑みてなされたものである。上記問題を解決するため、本考案は、流し台のふたを提供することを主目的とする。
【０００６】
上述の流し台とは、キッチンの調理台の流し台、或いは浴室の流し台のことであるが、本考案は前述の場所の流し台に限らず、水道設備への適用が可能である。
【課題を解決するための手段】
【０００７】
上述した課題を解決し、目的を達成するために、本考案に係る流し台のふたは、蓋板および収納容器を備える。蓋板は流し台の上方に跨設されていると共に流し台の入口を遮蔽する。収納容器は蓋板の底部に装設されており、蓋板により流し台の中に隠されている。
【０００８】
蓋板は、流し台の入口が遮蔽するため、流し台の面として使用することができ、使用者が蓋板を開けて蓋板の底部に位置する収納容器内に清掃用品、洗剤、果皮等の物品を出し入れすることができる。
【０００９】
本考案に係る流し台のふたにおいて、蓋板の周縁は流し台の周縁に跨設されている。本考案に係る蓋板が流し台に跨設されている場合、流し台の上縁と水平となるか、流し台のふたの上方には周辺と同じ材質の面材が加えられ、平坦な流し台の面が構成される。本考案に係る蓋板には引手或いは取っ手が設置されており、使用者は蓋板を流し台から引く或いは開ける。
【００１０】
本考案に係る流し台のふた収納容器は、引き出し或いは収納箱であるが、これに限らない。
【００１１】
本考案に係る流し台のふたは、連接棒部材により流し台のふたと流し台との間に枢設されている。本考案に係る流し台のふたは、連接棒部材により動作が制限され、水平に流し台から上に向くと共に後に向いて持ち上げられ、流し台の後方の上方に定置されている、或いは流し台のふたは流し台の上方の入口に跨設されている。
【００１２】
本考案に係る流し台のふたは一端縁がヒンジ部材により流し台に枢設されている。流し台のふたはヒンジ部材により持ち上げられて開けられた後に壁に掛けられる。本考案では流し台のふたと流し台との間の連接関係が制限されない。
【００１３】
上述の連接棒部材及びヒンジ部材の枢設方式には共に電動方式が用いられることにより駆動する。
【００１４】
本考案に係る流し台のふたは流し台の上方の入口を完全に或いは部分的に遮蔽するが、本考案では流し台の入口の遮蔽範囲を制限しない。
【００１５】
流し台の上方に跨設されて流し台の面を構成し、底部の収納容器には清掃用品、洗剤、果皮等の物品が収納されている。収納容器は流し台中に隠されており、空間を有効利用し収納を行い、キッチンや浴室等における露出タイプの収納容器の空間を抑え、室内環境を整える。
本考案によれば、蓋板の底部に設置される収納容器に清掃用品、洗剤、果皮等の物品を収納できる。収納容器は、流し台中に隠されて外に露出せず、キッチン、浴室、或いは他の流し台にも応用可能であり、より簡素で、美しくすることができる。
【図面の簡単な説明】
【００１６】
【図１】本考案の一実施形態に係る流し台のふたを示す斜視図である。
【図２】本考案の一実施形態に係る流し台のふたが流し台の上に横置されている状態を示す斜視図である。
【図３】本考案の一実施形態に係る流し台のふたが流し台の上に跨設されている状態を示す斜視図である。
【図４】本考案の一実施形態に係る流し台用ふたが連接棒部材により流し台に連結されている状態を示す斜視図である。
【図５】図４の側面図である。
【図６】図４に示す流し台のふたが流し台の上に跨設されている状態を示す斜視図である。
【図７】本考案の一実施形態に係る流し台のふたがヒンジ部材により流し台に連結され開けられた状態を示す斜視図である。
【図８】図７の側面図である。
【図９】図７に示す流し台のふたが流し台の上に跨設されている状態を示す斜視図である。
【図１０】本考案の一実施形態に係る流し台のふたがヒンジ部材により洗面用流し台に連結され、開けられた状態を示す斜視図である。
【図１１】図１０の側面図である。
【図１２】図１０に示す流し台のふたが洗面用流し台の上に跨設されている状態を示す斜視図である。
【考案を実施するための形態】
【００１７】
本考案における実施形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１８】
（一実施形態）
図１〜図３に示すように、本考案に係る流し台のふた１０は、特に流し台２０の上方に跨設されることにより流し台の面が構成される。底部の収納容器１２に清掃用品、洗剤、果皮等の物品が収納可能になり、収納容器１２は流し台２０中に隠され、空間を有効利用することにより収納を行え、キッチン、浴室等に設置される外に露出する収納容器の空間を抑え、室内環境を整える。
【００１９】
また、上述の流し台２０はキッチンの調理台の流し台、或いは図１０〜図１２に示す浴室の流し台２０´であるが、本考案では流し台の使用場所は限定されず、水道設備の流し台には全て適用可能である（図１〜図９参照）。
【００２０】
図１〜図３に示すように、本考案に係る流し台のふた１０は、流し台２０の上方に跨設されると共に流し台２０の入口２１を遮蔽させる蓋板１１、及び蓋板１１の底部に装設されると共に蓋板１１により流し台２０中に隠される収納容器１２を備える。平時には蓋板１１により流し台２０の入口２１が遮蔽されて流し台の面が構成され使用され、使用者は蓋板１１を開ける又は起こし、蓋板１１の底部に位置する収納容器１２内に清掃用品、洗剤、果皮等の物品を出し入れする。
【００２１】
本考案の応用は、図１及び図２に示すように、流し台２０の流し台のふた１０を開け一側に定置する。調理台の流し台の面に定置する場合、収納容器１２の底部が調理台に跨設され、これにより使用者は収納容器１２中の物品の出し入れが可能になる。
【００２２】
なお、本考案に係る流し台のふた１０は蓋板１１が流し台２０に跨設される場合、蓋板１１と流し台２０の上縁が水平になり、或いは流し台のふた１０の上方には周辺と同じ材質の面材が加えられることで平坦な流し台の面が構成される。本考案に係る蓋板１１には引手或いは取っ手１１１が設置され、使用者は蓋板１１を流し台から引く又は起こして開ける（図３参照）。
【００２３】
本考案に係る流し台のふた１０の、収納容器１２は外に向け引っ張られる引き出し、ないしは蓋を具備する収納箱であるが、本考案では収納容器１２の型式は制限されない。
【００２４】
本考案に係る流し台のふた１０は連接棒部材２２により流し台２０に連接され、本考案に係る流し台のふた１０は連接棒部材２２により動作が制限され、水平に流し台２０から上に向けられると共に後に向け持ち上げられ、流し台２０の後方の上方に定置されるか、或いは流し台のふた１０は流し台２０の上方の入口２１に跨設される（図４〜図６参照）。
【００２５】
図７〜図１２に示すように、本考案に係る流し台のふた１０の一端縁はヒンジ部材２３により流し台２０に連接され、流し台のふた１０はヒンジ部材２３により持ち上げられ、蓋板１１が直立状を呈するか、或いは壁Ｗに凭れ掛けられ、蓋板１１の底部の収納容器１２が外に露出し使用者に使用される。なお、本考案は流し台のふた１０と流し台２０と間の連接関係に限定されない。
【００２６】
上述の収納容器１２の対向する両側は軸１２１により蓋板１１の底部にそれぞれ枢設され、蓋板１１がヒンジ部材２３により開けられると、収納容器１２は重力により自動的且つ恒久的に底部が下に向く状態に保持され、収納容器１２内の物品は外にこぼれ落ちない（図７〜図１２参照）。
【００２７】
本考案に係る流し台のふた１０により流し台２０の上方の入口２１は完全に或いは部分的に遮蔽されるが、本考案では流し台の入口２１の遮蔽範囲は限定されない。上述の連接棒部材２２及びヒンジ部材２３の枢設方式には、電動方式が用いられ駆動する（図示せず）。
【００２８】
本考案に係る流し台のふた１０は、図１〜図３、及び図７〜図９に示すように、流し台２０の一側には固定式の蛇口２４が装設される。または、図４〜図６に示すように、流し台２０には昇降式の蛇口２４´が装設される。蛇口２４´は平時には下降し、流し台のふた１０が流し台２０の上方の入口２１に跨設され、蛇口２４´は流し台２０中に隠される。ちなみに、上述の固定式の蛇口２４或いは昇降式の蛇口２４´は従来の水栓部材であり、本考案の特徴でないため、説明は省く。
【００２９】
本考案に係る蓋板１１の底部に設置される収納容器１２には、清掃用品、洗剤、果皮等の物品が収納される。収納容器１２は平時では流し台２０中に隠されて外に露出せず、キッチン、浴室、或いは他の流し台に応用でき、より簡素で、美しくすることができる。
【００３０】
上述の実施形態は本考案の技術思想及び特徴を説明するためのものにすぎず、当該技術分野を熟知する者に本考案の内容を理解させると共にこれをもって実施することを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３１】
１０  流し台のふた、
１１  蓋板、
１１１  引手/取っ手、
１２  収納容器、
１２１  軸、
２０  流し台、
２０´  流し台、
２１  入口、
２２  連接棒部材、
２３  ヒンジ部材、
２４  蛇口、
２４´  蛇口、
Ｗ  壁。
【図１】
0003193014.tif 000003
【図２】
0003193014.tif 000004
【図３】
0003193014.tif 000005
【図４】
0003193014.tif 000006
【図５】
0003193014.tif 000007
【図６】
0003193014.tif 000008
【図７】
0003193014.tif 000009
【図８】
0003193014.tif 000010
【図９】
0003193014.tif 000011
【図１０】
0003193014.tif 000012
【図１１】
0003193014.tif 000013
【図１２】
0003193014.tif 000014